(57)【特許請求の範囲】
【請求項１】
ポンプ室を有するポンプボデーと、ポンプボデーと対向して配されるポンプカバーと、ポンプボデーとポンプカバーとの合わせ面に配されかつポンプ室の開口を閉じるポンププレートと、ポンプ室に配されかつトルクコンバータからの駆動力により回転させられるインナロータを有するポンプと、ポンプカバーとポンププレートとをポンプボデーに固定する手段と、ポンプカバーに支持されるステータシャフトとを備え、前記ポンプ室において、前記インナロータの前記ポンプボデー側のポンプ室の側面と対向する面に、作動油または潤滑油の圧力分布に差を生じさせる段部を形成している自動変速機用オイルポンプ。
【請求項２】
ポンプがドライブギヤとドリブンギヤとからなるギヤポンプであり、インナロータがドライブギヤである請求項１に記載の自動変速機用オイルポンプ。
【請求項３】
段部が環状であり、ステータシャフト側に開放されている請求項１又は２に記載の自動変速機用オイルポンプ。
【請求項４】
段部により、ポンププレートとドライブギヤとの間の油圧分布（２４）をドライブギヤと前記ポンプボデー側のポンプ室側面との間の油圧分布（２５）より大とさせ、ドライブギヤをポンプ室側面方向に押す力を作る請求項３に記載の自動変速機用オイルポンプ。
【請求項５】
油圧分布が吐出口とドライブギヤの内周側との間の油膜により作られる請求項４に記載の自動変速機用オイルポンプ。
【発明の詳細な説明】
【０００１】
【発明の属する技術分野】
本発明は、自動変速機のクラッチやブレーキへの高圧作動油及び歯車機構等の潤滑油の供給源であるオイルポンプに関する。
【０００２】
【従来の技術】
自動変速機のオイルポンプは、トルクコンバータのポンプインペラに結合されかつブッシュを介してポンプボデーに回転自在に支承されたポンプドライブハブにより駆動されるドライブギヤと、ドライブギヤの軸心とは偏心して配されかつドライブギヤと噛み合うドリブンギヤとを有す。
これらギヤは、変速機のケースに固定されたポンプボデーと、ポンプボデーに固定されたポンプカバーの側面に配されるとともに、同じくポンプボデーに固定されたポンププレートとにより画定される空間（ポンプ室）内をポンプドライブハブにより回転させられ、吸入口からの低圧（例えば−０．１MPa）オイルを高圧（例えば１．８MPa）オイルとして吐出口より各所へ供給している。
【０００３】
ポンプボデーとポンププレート並びにポンププレートと、ポンプカバーとの合わせ面には吐出口に通じる油路が多数形成されている。
【０００４】
【発明が解決しようとする課題】
ポンプカバーとギヤとの間に配されるポンププレートは、スチール板のプレス成形により製作され、必要形状の油路をその側面に設けるが、該油路を作るためのスチール板のプレス成形はポンププレートに歪みや内部応力を与える。さらに、ポンプ組付時、ポンププレートはポンプボデーに複数本のボルトを用いて固定するが、このポンプ組付作業時、ポンププレートに締付応力による歪みを与える。
【０００５】
このようなポンププレートの歪みや内部応力は、ポンププレートの平面度を低下させる。充分な平面度を確保していないポンププレートの使用はオイルポンプのドライブ及びドリブンギヤの側面とポンププレートとの接触を招き、焼付の原因ともなる。
耐摩耗性向上のため、ポンププレートのギヤ側の面にクロムメッキやイオンプレーティング等の表面処理を行うが平面度の改良に寄与していない。
【０００６】
それ故、本発明は、前述した従来技術の不具合を解消させることを解決すべき課題とする。
【０００７】
【課題を解決するための手段】
本発明は、前述した課題を解決するために、ポンプボデーと対向するインナロータ（例えばドライブギヤ）の側面にステータシャフト側に開口する段部を形成する手段及びポンプカバーとインナロータ（例えばギヤ）との間にポンププレートを配する手段を用いる。
この段部の設置は、インナロータ（例えばドライブギヤ）の両側面に作用する油圧の受圧面を変え、インナロータ（例えばドライブギヤ）をポンプボデー側に押す働きをする。インナロータ（例えばドライブギヤ）のこの動きは回転するインナロータ（例えばドライブギヤ）とポンププレートとの摺接による焼付を防止する。
本発明によれば、ポンププレートへの表面処理も耐摩耗性の通常の処理で良く、コスト面で有利である。
【０００８】
本発明によれば、ポンプ室を有するポンプボデーと、ポンプボデーと対向して配されるポンプカバーと、ポンプボデーとポンプカバーとの合わせ面に配されかつポンプ室の開口を閉じるポンププレートと、ポンプ室に配されかつトルクコンバータからの駆動力により回転させられるインナロータを有するポンプと、ポンプカバーとポンププレートとをポンプボデーに固定する手段と、ポンプカバーに支持されるステータシャフトとを備え、前記ポンプ室において、前記インナロータの前記ポンプボデー側のポンプ室の側面と対向する面に、作動油または潤滑油の圧力分布に差を生じさせる段部を形成している自動変速機用オイルポンプが提供される。
【０００９】
【発明の実施の形態】
図１を参照する。自動変速機用オイルポンプ１は、ポンプボデー２の側面に形成されたポンプ室５内に収容されるインナロータとしてのドライブギヤ３と、ドライブギヤ３の軸心とは偏心して配されかつドライブギヤ３と噛み合うアウタロータとしてのドリブンギヤ４を有す。
ポンプ室５はポンププレート８により画定されるが、このポンププレート８はポンプカバー７の側面に配される。ポンプカバー７の内周には、ステータシャフト６が圧入固定されている。ポンプカバー７は、ボルト９を用いてポンププレート８とともに、ポンプボデー２に固定される。
【００１０】
ポンププレート８とポンプボデー２との合わせ面及びポンププレート８とポンプカバー７との合わせ面には常法により複数の油路（図示なし）が形成される。知られる如く、これら油路はクラッチやブレーキ、各種バルブに接続される。尚、１０はポンプカバー７に支持された調圧バルブを示す。
ステータシャフト６内には、図示しないトルクコンバータからの出力軸１１が回転自在に配される。
【００１１】
ポンプ室５内のインナロータとしてのドライブギヤ３は、図示しないトルクコンバータのポンプインペラに接続されたポンプドライブハブ１２に結合される。ポンプドライブハブ１２の円筒部１３は、ポンプボデー２のボス部とステータシャフト６との間を延在しかつポンプボデー２の内周に配されるブッシュ２６により支承され、その先端の２面幅を、図２に示す如く、ドライブギヤ３の中央内周面の対向突部１４に係合させる。かくして、ポンプドライブハブ１２の回転は、ドライブギヤ３に直接伝達され、ドライブギヤ３を同回転させる。
ドライブギヤ３の回転は、これと噛み合いかつ歯数の異なるドリブンギヤ４を回転させ、両ギヤ間の回転数の差により両ギヤ間の空間に充満するオイルを昇圧させる。
図２に仮想線で示す吸入口１５からポンプ室５に入ったオイルは吐出口１６から昇圧して外部へ送り出される。吸入口１５はポンプボデー２とポンプカバー７とにより画定される油路１７に通じ、この油路１７はオイルパン（図示なし）に接続される。
図示例ではオイルポンプとして対のギヤからなるポンプを用いたが、他の形式の公知のポンプを用いても良い。
【００１２】
図３に、ポンププレート８に設けた吸入口１５と吐出口１６を示す。開口部１８は油路１７に通じる。
図４にポンプボデー２に設けた吸入口１５と吐出口１６を示す。開口部１９はオイルパン（図示なし）に通じる。
ドライブギヤ３とステータシャフト６とで画定される空間２１（図１と図５参照）はトルクコンバータへの潤滑油を供給する油路を構成するとともに、オイル回収油路２０を介してオイルパンに通じ、オイル室５から該空間２１に洩れたオイルはオイルパンに回収される。
【００１３】
図５に詳細に示すように、ポンプボデー２側のポンプ室５の側面と対向するインナロータとしてのドライブギヤ３の側面に段部２２を形成する。段部２２は、好ましくは、環状に設けられる。段部２２は、ステータシャフト６側即ち内周側に開口しており、ドライブギヤ３の側面（歯の部分を除く）の径方向の略半分程の高さとする。
【００１４】
吐出口１６の内周側縁２３と空間２１との間のポンププレート８とドライブギヤ３の側面との間並びにドライブギヤ３とポンプボデー２側のポンプ室５の側面との間に油膜（例えば２〜５μm）を作るが、段部２２の設置により両油膜の油圧分布２４，２５に差を作る（図５参照）。
ポンププレート８とドライブギヤ３との間の油圧分布２４は、ドライブギヤ３とポンプ室５の側面との間の油圧分布２５より径方向内方へ向けて長く延び、受圧面が大となっている。この油圧分布の違いは、段部２２の存在により生じるが、ドライブギヤ３をポンプ室５の側面方向に押す力を作る。これにより、ポンププレート８とドライブギヤ３との摺接力を弱め、油膜切れにより両者の焼付を防止できる。吐出口１６より送り出される油圧は一般には１．８MPaであるのに対し、空間２１の油圧は０．５MPaであり、一方に段部２２を設けることで、その圧力分布に差が作られる（図５参照）。
尚、吸入口１５側では圧力が低いので図５に示した如き圧力分布は生じない。
【図面の簡単な説明】
【図１】本発明の自動変速機用オイルポンプの一例の断面図である。
【図２】ドライブギヤとドリブンギヤとの噛み合いを示す平面図である。
【図３】ポンププレートに設けた吸入口と吐出口とを示す平面図である。
【図４】ポンプボデーに設けた吸入口と吐出口とを示す平面図である。
【図５】ドライブギヤに設けた段部を示す部分断面図である。
【符号の説明】
１    オイルポンプ
２    ポンプボデー
３    ドライブギヤ
４    ドリブンギヤ
５    ポンプ室
６    ステータシャフト
７    ポンプカバー
８    ポンププレート
１２    ポンプドライブハブ
１５    オイル吸入口
１６    オイル吐出口
２０    オイル回収油路
２１    空間
２２    段部
２４，２５    油圧分布
ブッシュ    ２６
【図１】
0003869740.tif 000002
【図２】
0003869740.tif 000003
【図３】
0003869740.tif 000004
【図４】
0003869740.tif 000005
【図５】
0003869740.tif 000006